Podtech/llm-jp-corpus-v4-ja_patent huggingface dataset:
(57)【要約】【課題】  防犯や装飾などの目的に応じたパネルを、必要に応じ手すりやフェンスに装着し可動も可能にする。【解決手段】  手すりやフェンスの笠木や下胴縁や支柱にレールを予め付設した構造にしたり、既存の手すりやフェンスにレールを後付けする。【選択図】  図１
2005299366.tif 000002
【特許請求の範囲】
【請求項１】
手すりやフェンスを構成する笠木や下胴縁や支柱にレールを付設し、手すりへのスクリーン、カーテン、ブラインド及びパネルの後付けを可能にすると共に、該スクリーン、カーテン、ブラインド及びパネルが左右や上下に移動することを可能とし、保持する位置で手すりに固定するようにしたことを特徴とするスクリーン、カーテン、ブラインド及びパネルの装着後可動を可能とする手すり
【請求項２】
請求項１でレールを複列とし、各レールに装着した複数のパネルを開閉できるようにしたことを特徴とするスクリーン、カーテン、ブラインド及びパネルの装着後可動を可能とする手すり
【請求項３】
既存の手すりに請求項１に示すレールを後付けすることを特徴とするスクリーン、カーテン、ブラインド及びパネルの装着後可動を可能とする手すり
【発明の詳細な説明】
【発明の詳細な説明】
【技術分野】
【０００１】  本発明は、一般家屋やビルディングの手すりやフェンスに併設するスクリーン、カーテン、ブラインド及びパネルを装着する手すりに関する。
【背景技術】
【０００２】  従来の手すりに併設するスクリーン、カーテン、ブラインド及びパネルは、看板や目隠し用として用いられている。これらは対象に応じて施工業者が任意な方法で施工している。
【発明が解決しようとする課題】
【０００３】  手すりに取り付ける従来の看板やパネルは、それぞれの用途に応じて都度任意に後付けしており、施工方法も笠木や手すり子に直にネジで固定したり、ワイヤで固定したり、手すり子間にステーを設けパネルとステー間をボルトナットで固定するなど場当たり的な施工が多かった。手すりの用途は、従来落下防止のための安全対策やフェンスとしての使用が主体であった。最近の傾向としては、プライバシー保護や犯罪防止のため手すりの開口面積を小さくすることや、完全に塞いだり、ベランダやバルコニーを趣味の空間にするため、手すり近くに装飾性を帯びた衝立等を設ける手法が用いられている。本発明で解決しようとする課題は、防犯や装飾性向上等の目的に応じたスクリーン、カーテン、ブラインド及びパネルを、一定の工法により安全且つ容易に手すりやフェンスに付設できるようにすると共に、手すり内でこれらの付設物の可動を可能にする機能性の高い手すりを提供することにある。
【課題を解決するための手段】
【０００４】［解決手段１］手すりやフェンスの笠木と下胴縁の内側にレールを付設した構造とし、レールにスクリーン、カーテン、ブラインド及びパネルを後から装着する。該装着物はレール上で可動させ、保持する位置ではパネルを手すりに固定する。
【０００５】［解決手段２］レールを複列溝とし、各溝に装着した複数のスクリーン、カーテン、ブラインド及びパネルを開閉できるようにする。
［解決手段３］既存の手すりにもレールを後付けできるようにする。
【発明を実施するための最良の形態】
【０００６】  以下本発明の実施の形態を図に基づいて説明する。図において、図１および図２は本発明の実施例を示す手すりにパネル取り付け状態の縦断面図、図３は手すりにパネルを装着した状態の横断面図、図４及び図５は手すりにパネルを装着した状態の略横断面図、図６は既設手すりへのレール取付図、図７はパネル固定部分の部分断面図である。【０００７】  図１において、手すり１は笠木２、下胴淵３、支柱４及び手すり子５で構成され、笠木１と下胴縁２の側面にはレール２ａ及び３ａを付設している。各々のレール２ａ及び３ａの中央部には凸部を形成し、凸部の両側に一対のパネル６を装着している。図２ではレール２ａ及び３ａが手すり子５に隣接するよう笠木２及び下胴縁３を構成しており、各々のレール２ａ及び３ａの中央部には凸部を形成し、凸部の両側に一対のパネル６を装着している。
レール２ａ及び３ａへのパネル６の取り付けは、手すり側に取り付けるパネル６ａを笠木２側のレール２ａ内の最上部まで持ち上げて挿入し、次にパネル６ａの下部をレール３ａの下胴縁３側に落とし込んで行う。【０００８】  図３は手すり部分の横断面図であり、一対のパネル６が両側の支柱４の間で下胴縁３に付設するレール３ａ部分に装着された状態を示している。図４及び図５は手すり部分の略横断面図であり、図４ではレール２ａ及び３ａに４枚のパネル６ｃを装着しており、図５ではアコーデオン式のパネル６ｄの装着状態を示している。図４及び図５に示すとおり、レールを利用して様々なパネルの装着が可能になる。図６は既設の手すりへの可動パネルの取り付けを示すもので、笠木２に後付けレール２ｂをネジ７で固定している。これにより、パネル６の取り付けが可能になる。図７はパネル６をレール３ａに装着した後、ネジ８で固定した状態を示している。パネル６は上下のレール２ａ及び３ａの間に装着されており、パネル６を外すために持ち上げる場合以外は、容易に外れないが、万一の落下の予防保全としてパネルを手すりの一部に固定するようにしている。
【発明の効果】
【０００９】  以上の説明の通り、本発明は、各種形状の手すりやフェンスに予めレールを施工することで、後からパネルを容易に取り付けることができる。また、従来の手すりやフェンスにあっても、レールを後付けすることでパネルの装着が可能となる。手すりやフェンスへのパネルの適用は、防犯対策や趣味の空間の演出など用途に応じてパネルの形状や機構を選定することで目的を達成できる。また、本発明に依るとレールの施工方法が簡易なため標準化することも容易であり、取り付けに関する事故の未然防止が行われる。
【図面の簡単な説明】
【図１】手すりのレールにパネル取付け後の縦断面図
【図２】もう一つのパネル取付け後の縦断面図
【図３】パネル取り付け後の横断面図
【図４】パネル取り付け後の略横断面図
【図５】パネル取り付け後のもう一つの略横断面図
【図６】既存手すりに後付けするレール部分の断面図
【図７】パネル固定部分の部分断面図
【符号の説明】
１    手すり
２    笠木
２ａ  笠木に付設したレール
２ｂ  笠木に後付けしたレール
３    下胴縁
３ａ  下胴縁に付設したレール
４    支柱
５    手すり子
６    パネル
６ａ  一対パネルの内側パネル
６ｂ  一対パネルの外側パネル
６ｃ  ４枚に分割したパネル
６ｄ  アコーデオン式のパネル
７    パネル固定用ネジ
８    後付けレールの固定用ネジ
【図１】
2005299366.tif 000003
【図２】
2005299366.tif 000004
【図３】
2005299366.tif 000005
【図４】
2005299366.tif 000006
【図５】
2005299366.tif 000007
【図６】
2005299366.tif 000008
【図７】
2005299366.tif 000009
(57)【要約】      （修正有）【課題】  固形有機物を効果的に処理できる簡易型軽水洗バイオトイレを提供する。【解決手段】  簡易型軽水洗トイレに微生物（バスター菌）による分解装置を組み込み、固形有機物を炭酸ガスと水に分解する。【選択図】  なし【特許請求の範囲】
【請求項１】
簡易型軽水洗バイオトイレに、固形有機物を消す為の消化装置を組み込み、一定量の微生物（バスター菌）を投入して、固形物を炭酸ガスと水に分解する。
【請求項２】
【請求項１】
によって分解した水や小水を集めて、溜める貯留タンクとセットである。
【請求項３】
簡易型軽水洗バイオトイレは、工具なしで２分割できる。
【請求項４】
【請求項１】
の消化装置の組み込みに変え、水中ポンプを組み込み一定量のバスター菌を投入、攪拌して、固形有機物を、炭酸ガスと水に分解する。
【請求項５】
【請求項４】
で、攪拌している水量が増えて、オーバーフローした水は、
【請求項２】
と同じである。
【請求項６】
【請求項１】
の消化装置には、菌床となるろ材を入れ、地面水平に対して、傾斜をつけ設置する装置となっている。
【請求項７】
装置は、ステンレスのパンチングボード（３〜４ｍｍ穴径）と、ステンレスの板材など、腐蝕しづらい材料で作られ、バスター菌を絶えず溜められる構造である。
【発明の詳細な説明】
【技術分野】
【０００１】  この特許は、人の排泄物やトイレットペーパーを微生物（バスター菌）により、二酸化炭素と水に分解し、二酸化炭素は空中へ、分解水は、予備の貯留タンクに貯留する。タンクの要領を大きくすることにより、多数の簡易型軽水洗バイオトイレを設置し、多くの人が同時に使用できる。尚、排泄物は、２４〜３６時間でトイレットペーパーは、１２０〜１６８時間で消化減量する。
【背景技術】
【０００２】  従来の簡易トイレは、工事現場、イベント会場等で利用されているが、臭気と夏期のトイレ内が、高温となり烈悪な環境であった。又、排泄物や、トイレットペーパーが蓄積され、使用頻度に限りがあった。尚、その後のトイレの清掃作業に大変な労力を必要とした。
【特許が解決しようとする課題】
【０００３】
2005299364.tif 000002
【課題を解決する為の手段】
【０００４】
2005299364.tif 000003
【特許の実施の形態】
【０００５】  以下、本特許の実例について説明する。
本特許で使用する微生物は、バスター菌と称し、微生物学上の性質の特性は、次の通りであり、これによって特定される。
2005299364.tif 000004
バスター菌（ｌｃｃ内液体菌数）            微生物の名称
放線菌    ３．０×１０９…………………放線菌サーモフィリック・アクチノマイシス
細  菌    １．９×１０９…………………菌バシラス・ステアロサーモフィラス
細  菌    １．２×１０９…………………バシラス・ブレビスと近縁の種と推定される細菌
【手続補正書】
【提出日】平成16年6月17日(2004.6.17)
【手続補正１】
【補正対象書類名】特許請求の範囲
【補正対象項目名】全文
【補正方法】変更
【補正の内容】
【特許請求の範囲】
【請求項１】
簡易型軽水洗バイオトイレに、固形有機物を消す為の消化装置を組み込み、一定量の微生物（バスター菌）を投入して、固形物を炭酸ガスと水に分解する。
【請求項２】
請求項１．によって分解した水や小水を集めて、溜める貯留タンクとセットである。
【請求項３】
簡易型軽水洗バイオトイレは、工具なしで２分割できる。
【請求項４】
請求項１．の消化装置の組み込みに変え、水中ポンプを組み込み一定量のバスター菌を投入、攪拌して、固形有機物を、炭酸ガスと水に分解する。
【請求項５】
請求項４．で、攪拌している水量が増えて、オーバーフローした水は、請求項２．と同じである。
【請求項６】
請求項１．の消化装置には、菌床となるろ材を入れ、地面水平に対して、傾斜をつけ設置する装置となっている。
【請求項７】
装置は、ステンレスのパンチングボード（３〜４ｍｍ穴径）と、ステンレスの板材など、腐蝕しづらい材料で作られ、バスター菌を絶えず溜められる構造である。
(57)【要約】【目的】  回転ドアのドアとドアの間に、ステージを設置することにより、回転ドア内に移動空間を提供することにより、安全を確保し、回転ドアの事故を防止する。【構成】１、ステージの下面に、ボールベアリングなどの回転自在な強固な回転体を設置する。２、ドアとステージの隙間を、硬質ゴムの楔や、パッキンで、固定する。３、ステージに、目隠しカーテンやエアバッグ等の防護設備を固定する。以上の構成を特徴とする。【選択図】  図２
2005299362.tif 000002
【特許請求の範囲】
【請求項１】
自動回転ドアの回転と一体として回転するように、ドア（１）とドア（２）の間の空間に設置されたステージ（３）
【請求項２】
ステージ（３）に固定した防護装置（４）
【発明の詳細な説明】
【発明の詳細な説明】
【産業上の利用分野】
【０００１】  この発明は、「自動回転ドア」のドアとドアの空間に設置し、ドアと床部分の空間を一体とするステージに関するものである。
【背景技術】
【０００２】  従来、自動回転ドアは、ドアだけが回転するものであった。
すなわち、ドアが回転しても床は動かなかった。これは、エスカレータの手摺だけが動く状態と同じで、タラップと手摺が同じ動きをしなければ、非常に危険であった。
【発明が解決しようとする課題】
【０００３】  これには次のような欠点があった。
（イ）  利用者が回転ドア内に入れば、後方のドア（２）に追い立てられて、歩かなけ          ればならず、恐怖感があった。
（ロ）  また、転んだりすれば、後方のドア（２）と床に挟まれる恐れがあった。
（ハ）  最近は、後方のドア（２）と隔壁に子供が、挟まれる事故が多発している。こ          れは、子供は、後方のドアに追い立てられると、ドアを見過ごすことが出来な          いので、あわてて、わずかな隙間に飛び込み、事故になる。
本発明は、これらの欠点を除くためになされたものである。
【課題を解決しようとする手段】
【０００４】  ステージ（３）を自動回転ドアの回転と一体として回転するように、ドア（１）と後方ドア（２）の間の空間に設置した。
ステージ（３）に防護装置（４）を固定した。
本発明は、以上のような構成よりなる回転するステージである。
【作用】
【０００５】  ドアと床部分の空間を一体化するステージを設置することにより、この回転ステージがドアの利用者のタラップとなり、ドアの回転と同じ回転運動をすることにより、利用者が追い立てられて、歩くことなく、回転ドア内を任意に移動することが出来る。
ステージに固定された防護装置により、挟まれ事故を防止できる。
【実施例】
【０００６】  以下、本発明の実施例について説明する。
（イ）回転ドア（１）と後方回転ドア（２）の間に、ステージ（３）を設置し固定する。
（ロ）ステージ（３）に防護装置（４）を固定し設置する。
【発明の効果】
【０００７】  本発明はステージ（３）がドア（１）、（２）と一体の空間を構成したため、後方のドア（２）と必要なスペースが確保でき、ドアに追い立てられる恐怖感はなくなる。
また、防護装置（３）により、飛込みを防止できる。防護装置には、風船のエアバックや、蛇腹カーテン、ゴム幕、イラスト入りのプラスチックカーテンなどが考えられる。
【図面の簡単な説明】
【図１】自動回転ドア内部に設置したステージの斜視図である。
【図２】ステージに取り付けた防護装置の斜視図である。
【図３】ステージの平面図、側面図、正面図である。
【図４】防護装置の斜視図とエアバッグの拡大図である。
【符号の説明】
１、は回転ドア  ２、は後方回転ドア  ３、はステージ  ４、は防護装置
５、はボールベアリング  ６、はボールベアリング固定具  ７、防護装置取り付け枠
８、エアバッグ吊り下げ金具  ９、エアバッグ
【図１】
2005299362.tif 000003
【図２】
2005299362.tif 000004
【図３】
2005299362.tif 000005
【図４】
2005299362.tif 000006
(57)【要約】【課題】  本発明は、集合住宅等で玄関扉に横壁等に設置する玄関インターホンパネルや、表札、インターホン子機、新聞受け等を取付けることが出来ない場合に玄関扉より離れた不便な位置に設置するか、また単体で扉にそれぞれ取り付けていた。【解決手段】  本発明は、玄関扉付近にインターホン子機や表札、新聞受け等設置出来ない場合において、それらを１枚のパネルに収納した玄関インターホンパネルを玄関扉外部表面に凹部分を作り、その部分に組み込む事より解決している。美観を損なうことなく便利に使用出来て室番号及び名前が迷うこと無くわかることとなった。【選択図】  図３
2005299352.tif 000002
【特許請求の範囲】
【請求項１】
室番号、名前、インターホン子機、玄関錠、新聞受等を供えた、玄関インターホンパネルを組み込んだ玄関扉。
【発明の詳細な説明】
【技術分野】
【０００１】  本発明は玄関の周辺に必要な機能を集約して一体化した玄関インターホンパネルを扉に組み込んだ玄関扉に関する。
【背景技術】
【０００２】  玄関扉の横の壁面に照明、室番号、名札、インターホン子機、新聞受、傘立て等一体化した玄関インターホンパネルを設置する場合が多い、また扉に室番号及び名前を記入したプレートを貼り付けるものもある、更に扉に新聞受を配置しているものもある。
【発明の開示】
【発明が解決しようとする課題】
【０００３】  集合住宅等で表札、インターホン子機、新聞受け等が玄関扉の横壁に取付けることが出来ない場合に玄関扉より離れた不便な位置に設置するしかない、また単体で扉にそれぞれ取り付けていた。【０００４】  本発明は、玄関扉の横壁等に設置する玄関インターホンパネルを玄関扉近くに設置できない場合に、機能的に便利に使用すること目的とするものである。
【課題を解決する為の手段】
【０００５】  本発明は、玄関扉付近にインターホン子機や表札、新聞受け等設置出来ない場合において、それらを１枚のパネルに収納した玄関インターホンパネルを玄関扉外部表面に凹部分を作り、その部分に組み込む事より解決している。
【発明の効果】
【０００６】  以上の説明で、集合住宅等で玄関出入口の横壁にインターホン子機や表札、新聞受け等を設置できなく離れた場所にそれぞれを設置しているか、又は玄関扉に単体で設置していたが、玄関扉に室番号、名札、インターホン子機、新聞受等を１枚のパネルとして組み込む事により、美観を損なうことなく便利に使用出来て室番号及び名前が迷うこと無くわかることとなった。
【０００７】  インターホン子機は点検及び修理しようとするときに簡単に脱着出来るように組込みパネルを上部と下部の２分割にして上部のパネルを上に上げることによりはずれ、玄関インターホンプレート全体をはずさなくても、パネル上部のみはずすことが出来る。
【発明の実施するための最良の形態】
【０００８】  以下、本発明の実施の形態を図１〜図３に基づいて説明する。
【０００９】  図面１の玄関扉１に玄関インターホンパネル組込み用の凹部２を戸先側に設け、躯体内通線用配管３と通電金具４と扉内部通線配管５にインターホン子機通電用配線６を扉凹部側面に通しておく。玄関扉凹部には玄関錠取り付け用切欠穴７を開けて置く。図２の玄関インターホンパネルの下地パネル８にインターホン子機通電用配線６通す穴９とインターホン子機が入る開口穴１０と玄関インターホンパネルの表面パネルの上部パネル差込金具１４が入る開口穴１１及び玄関インターホンパネルの表面パネルの下部パネル差込金具１５が入る開口穴１２と玄関錠取り付け用切欠き穴１３を明けておき、玄関扉の凹部にビス等で玄関インターホンパネルの下地パネル８を取付ける。玄関扉に取り付けた玄関インターホンパネルの下地パネルに、玄関インターホンパネルの表面パネルの上部パネル１６に通電用配線をインターホン子機１７に結線して上部パネルにインターホン子機のスピーカー及び押し釦やマイク等の開口穴１８を開けた所に内部より取り付けてから、表面パネルの上部パネル差込金具１４を下地パネルの開口穴１１に差込、最上部のこぐちにビス１９で固定する。カッティングシート等で作った室番号及び名前２０を表面パネルの上部パネル１６に貼る。さらに玄関インターホンパネルの下地パネルに表面パネルの下部パネル２１に取り付いている、表面パネルの下部パネル差込金具１５を玄関インターホンパネルの下地パネル差込金具が入る開口穴１２に差込、最下部のこぐちにビス２２で固定する。表面パネルの下部パネルには、玄関錠取り付け用切欠き穴を設け、その下には新聞受２４を取り付ける。図３は、玄関扉１に玄関インターホンパネルを組み込み、錠前２５を取り付けた状態の図面である。
【図面の簡単な説明】
【００１０】
【図１】パネルを組み込む以前の玄関扉の正面図
【図２】玄関扉に組み込もうとする玄関インターホンパネルの正面図
【図３】玄関扉に玄関インターホンパネルを組み込んだ後の正面図
【符号の説明】
【００１１】１  玄関扉
２  玄関インターホンパネル組込み用凹部
３  躯体内通線用配管
４  通電金具
５  扉内部通線配管
６  インターホン子機通電用配線
７  玄関インターホンパネル組込み用凹部玄関錠取り付け用切欠き穴
８  玄関インターホンパネルの下地パネル
９  インターホン子機通電用配線を通す穴
１０インターホン子機が入る開口穴
１１表面パネルの上部パネル差込金具が入る開口穴
１２表面パネルの下部パネル差込金具が入る開口穴
１３玄関インターホンパネルの下地パネルの玄関錠取り付け用切欠き穴
１４表面パネルの上部パネル差込金具
１５表面パネルの下部パネル差込金具
１６玄関インターホンパネルの表面パネルの上部パネル
１７インターホン子機
１８インターホン子機のスピーカー及び押し釦やマイク等の開口穴
１９最上部こぐちビス
２０室番号及び名前
２１玄関インターホンパネルの表面パネルの下部パネル
２２最下部こぐちビス
２２最下部こぐちビス
２３玄関インターホンパネルの表面パネルの下部パネルの玄関錠取り付け用切欠穴
２４新聞受
【図１】
2005299352.tif 000003
【図２】
2005299352.tif 000004
【図３】
2005299352.tif 000005
(57)【要約】      （修正有）【課題】簡単な形状の接合板を複数枚用い、接合板にて多角形、Ｖ字を構成しトラス部材をボルトで固定、各々を緊結したトラスによる小屋組み構造を提供する。【解決手段】接合板Ｍ１、Ｍ２、Ｍ３を用い多角形を構成しトラス部材Ｔ１、Ｔ２、Ｔ３の中心軸に接合板Ｍ１、Ｍ２、Ｍ３のボルト孔に一致させたボルト孔を開けボルトＢ１、Ｂ２、Ｂ３を通しナットＮ１、Ｎ２、Ｎ３にて螺合する。【選択図】図−４
2005299354.tif 000002
【特許請求の範囲】
【請求項１】
両端に固定ボルト用孔を設けた接合板により、中空三角形、連続中空三角形等多角形又はＶ字形を構成し部材各々を接合板の固定ボルト用孔に接合用ボルトを通しナットを用いてトラス部材同士を緊結接合するトラス部材接合セット。
【請求項２】
２枚合わせのトラス部材各々の接合部分に上記中空三角形、連続中空三角形等多角形又はＶ字形に構成された接合板を挟み込み、トラス部材に開けられたボルト孔から当該接合板の固定ボルト孔にボルトを通しナットで螺合固定する
【発明の詳細な説明】
【技術分野】
【０００１】  本発明は、木造建築物に適用する小屋組み用トラス、横架材用トラス、他用途に用いるトラス等のトラス部材の接合装置に関するものである。
【背景技術】
【０００２】  トラスを構成するには、上弦材と下弦材の構成する空間に力を分散させる目的で配置されている部材を接合する為に、スチール板に釘状の突起を設けてトラス部材同士を接合する板釘（ギャングネイル）や合板（合板ガセット）をトラス部材の両面からトラス部材を挟み込み釘やボルトで接合しトラスを構成した物がある。
【発明が解決しようとする課題】
【０００３】  前期従来例は、スチール板に釘状突起（板釘）を設けている為トラス部材同士を緊結接合する場合、部材に当該スチール板上から平均的に圧力を加えなければならず、現場にて部材同士を接合するには板状釘をトラス部材の上に載せ平均的に圧力を掛ける設備が必要となり不向きである、また合板を用いた場合もその大きさや固定用のボルトの数によっても強度が異なるため、やはり現場で安定的な強度を持ったトラスを製作するには不向きである。
【０００４】  本発明は小形軽量の接合板でトラス部材を接合出来、現場作業の簡便化、運搬コストの低減と工場加工された部材を接合する事により現場での加工を省くと同時にごみ等の産業廃棄物の排出を抑えトラスの安定した品質と強度を確保すべく創案したものである。
【課題を解決するための手段】
【０００５】  トラスを構成する数箇所の接合点の互いに接合する接合用ボルト孔を設けた一対のトラス部材、又は数本のトラス部材の接合点を中心に接合板を当該接合部材の本数により、接合板を三角形又はＶ字形に配置し接合板両端に設けられた孔よりボルトを通し更にトラス部材の接合用孔に通し当該ボルトをワッシャー上からナット締めし接合する構成としたものである。
【発明の効果】
【０００６】  本発明によれば、三角形をはじめとする多角形、Ｖ字形に組み合わせ配置された接合板に開けられた孔にボルトを通し固定する事により接合部に接する部材には１〜２箇所のボルト孔を開けボルトを通し反対側からナットを締め込む事で接合が出来る為トラス部材に多大の欠損を強いる事無く木材本来の強度を保ちながらトラスを構成出来る、又トラスは組み上げると、その掛け渡し幅によっては高さ重量とも非常に高く、重くなる為、搬送コストも非常に高額になり、構造面、施工面においても高強度、簡便でありながら敬遠されがちであるが、当該接合板を採用する事によりトラス部材の小型短小化、組み立ての簡便化と同時に部材での運搬が可能で施工性、運搬性、コストに優れ、強固に接合されたトラスによる小屋組みを提供する事が出来る。
【実施例】
【０００７】  図面は本発明に係るトラス部材の接合セットの実施例を示し、図−１は接合板平面図、図−２は側面図、図−３は第一実施例でその斜視図、図−４及び図−５はその接合板を用いた接合部の拡大図、図−６はその縦断面図で又、図−７及び図−８は第二実施例で、図−７はその斜視図、図−８は接合部の拡大斜視図であり、図−９はその接合部の縦断面図である。【０００９】  第一実施例は、トラス上弦材（屋根面）Ｔ１、Ｔ２、及び束材（トラス軸部材）Ｔ３を三角形に組釘等で仮留めし、そのトラス部材毎に開けられた固定用孔Ｈ１、Ｈ２、Ｈ３の上に接合板Ｍ１、Ｍ２、Ｍ３をその各々に有する固定用孔ＭＨ１、ＭＨ２、ＭＨ３と重ね合わせ、ワッシャーＷ１、Ｗ２、Ｗ３を通したボルトＢ１、Ｂ２、Ｂ３を貫通させ、反対側よりワッシャーＷ１’、Ｗ２’、Ｗ３’を通した上でナットＮ１、Ｎ２、Ｎ３にて螺合固定し接合部毎に繰り返しボルト及びナットで螺合固定する事により強固なトラスを完成させる事が出来る。【００１０】  第二実施例は、第一実施例と同様に上弦材（屋根面）、束材（トラス軸部材）を仮留めし更に、接合板を中心にしてもう一組のトラス部材Ｔ１’、Ｔ２’、Ｔ３’を重ね第一実施例と同様にワッシャーＷ１、Ｗ２、Ｗ３を通したボルトＢ１’、Ｂ２’、Ｂ３’を反対側よりワッシャーＷ１’、Ｗ２’、Ｗ３’とナットで固定し、トラスを構成したもので第一実施例と比較すると接合部が見えないため意匠的にも優れトラス部材を重ね合わせて用いる事により、より高強度の屋根構造を構築する事が出来る。
【図面の簡単な説明】
【００１１】
【図−１】  接合板平面図
【図−２】  接合板側面図
【図−３】  第一実施例斜視図
【図−４】  第一実施例接合部部品図
【図−５】  第一実施例組立図
【図−６】  第一実施例縦断面
【図−７】  第二実施例斜視図
【図−８】  第二実施例組立図
【図−９】  第二実施例縦断面図
【図−１】
2005299354.tif 000003
【図−２】
2005299354.tif 000004
【図−３】
2005299354.tif 000005
【図−４】
2005299354.tif 000006
【図−５】
2005299354.tif 000007
【図−６】
2005299354.tif 000008
【図−７】
2005299354.tif 000009
【図−８】
2005299354.tif 000010
【図−９】
2005299354.tif 000011
(57)【要約】      （修正有）【課題】回転ドアーと外側の遮へい物との間に誤って手足などが挟まれると負傷・骨折などの人身事故となるが、主回転ドアーと外側の遮へい物との間に挟まれ圧迫されない構造のものを提供する。【解決手段】建物の内外を区分する壁及び出入り口の両側にそれぞれ円の四分の一の遮へい物１を設置し、出入り口の中央部へ、十字形の主回転ドアー２の先端部に、定位置装置（例えば、天井部の軸部分を山谷山谷のある円筒カムを玉スプリングで谷部に止まる仕組み、あるいは磁力のＮ−Ｓを利用する方法など）により主回転ドアーと一直線上に止まる幅の狭い副回転ドアー３の構造のものを設置した。仮に、外側の遮へい物１と主回転ドアー２との間に挟まれたとしても副回転ドアー３が回転するので、自力で脱出可能である。【選択図】図３
2005299358.tif 000002
【特許請求の範囲】
【請求項１】
主回転ドアーの先端部に、定位置装置を備えた副回転ドアーを取り付けた回転二重式ドアーである。
【発明の詳細な説明】
【発明の詳細な説明】
【技術分野】
【０００１】  建物内の暖房あるいは冷房された空気が人の出入りで流出させない出入り口の構造上の技術分野である。
【背景技術】
【０００２】  従来より、回転ドアーは、建物の出入り口に設置することにより、建物内の空気圧と建物外の空気圧の差に影響がなく、人の出入りがあっても空気の出入り流れをほとんど生じさせない。この一方、気密性が求められている。
【発明の開示】
【発明が解決しようとする課題】
【０００３】  解決しようとする問題点は、次のようなものがあった。（イ）回転ドアーと外側の遮へい物との役割は、人の出入りと気密性との両面を持っている。（ロ）気密性を必要とするため、回転ドアーと外側の遮へい物との間隔が次第に狭まり死亡・骨折・負傷などの人身事故が発生している。（ハ）機械的な動力による回転ドアーと外側の遮へい物に挟まれると、容易に救出できない不満な点がある。  本発明は、これらの欠点を除くためになされたものである。
【課題を解決するための手段】
【０００４】  回転二重式ドアーとは、主回転ドアーの先端部に定位置装置（例えば、天井部の軸部分を山谷山谷のある円筒カムを玉スプリングで谷部に止まる仕組み、あるいは磁力のＮ−Ｓを利用する方法など）により主回転ドアーと一直線上に収まる幅の狭い副回転ドアーの構造をしたものである。
【発明の効果】
【０００５】  これには、次のような効果がある。（イ）回転二重式ドアーは、人の出入りと気密性との両面の役割を持っている。（ロ）主回転ドアーの先端部に定位置装置を備えた副回転ドアーと外側の遮へい物に挟まれ圧迫することはないので、人身事故が発生しない。（ハ）仮に、外側の遮へい物と主回転ドアーとの間に挟まれたとしても副回転ドアーが回転するので、自力で脱出可能である。この回転した副回転ドアーの定位置装置が働き、主回転ドアーと一直線上に収まる。  本発明は、これらの効果をもたらすものである。
【発明を実施するための最良の形態】
【０００６】  建物内の気密性を保ちながら、人の出入りを可能とするものが回転ドアーである。  そのために、回転ドアーと外側の遮へい物との間隔は、わずかな隙間を要求され、その一方、人の出入り口であることから誤って手足などが挟み込まれる。  このような事態とならない回転ドアーを発明したのが、主回転ドアーの先端部に定位置装置を備えた副回転ドアーの構造を持った回転二重式ドアーである。
【実施例１】  建物の内外を区分する壁及び出入り口の両側にそれぞれ円の四分の一の遮へい物１を設置。
【実施例２】  出入り口の中央部へ、十字形の主回転ドアー２の先端部に、定位置装置を備えた幅の狭い副回転ドアー３の構造のものを設置。
【産業上の利用可能性】
【０００７】  本発明は、現在設置している回転ドアーを回転二重式ドアーに容易に取り替えることができる。
【図面の簡単な説明】
【０００８】【図１】本発明の回転二重式ドアーを示す平面図である。
【図２】本発明の回転二重式ドアーを示す断面図である。
【図３】本発明の回転二重式ドアーを示す斜視図である。
【符号の説明】
【０００９】  １  遮へい物  ２  主回転ドアー  ３  副回転ドアー
【図１】
2005299358.tif 000003
【図２】
2005299358.tif 000004
【図３】
2005299358.tif 000005
(57)【要約】      （修正有）【課題】給水・給湯管引き回しの際の鞘管として支持、保護と同時に高い保温機能を付加する。【解決手段】給水・給湯管の保護としての鞘管に内溝を配する構造とし、給水・給湯管を内方挿通した際、複数の空気層が形成され、又、鞘管本体材料に熱伝導率の低い合成樹脂を用い、給水・給湯管を内方挿通した際の接触部を僅少化する構造とすることで保温効果を高める。【選択図】図２
2005299820.tif 000002
【特許請求の範囲】
【請求項１】
内方を挿通する給水管、給湯管の保護とそれとの接触面積を小さくすると同時に複数の空気の層を配することで保温効率を高めた構造の鞘管。
【発明の詳細な説明】
【技術分野】
【０００１】
本発明は給水・給湯管用鞘管に関するものである。
【背景技術】
【０００２】
従来は給水・給湯管配管の際、保護を目的として内方を挿通させる鞘管を用いる。
【０００３】
給水・給湯管の保温方法としてグラスウール、発泡スチロール等の保温材が用いられている。  
【発明の開示】
【発明が解決しようとする課題】
【０００４】
従来用いられている給水・給湯管の鞘管は保護のみを目的としており、固定支持、保温効果を共有するものはない。
【０００５】
給水・給湯管の保温としてはグラスウール、発泡スチロール等の2つ割りの保温材直管を貼り合わせ接続する工法のため配管方法を制約し工事も煩雑である。
【０００６】
本発明は上述の点に鑑みてなされたもので、給水・給湯管の保護と同時に、保温効果を高め配管工数抑えるものである。
【課題を解決するための手段】
【０００７】
給水・給湯管の保護としての鞘管図1の1に内溝図1の2を配する構造とする。
【０００８】
給水・給湯管を内方挿通した際、複数の空気層図2の4が形成されることにより保温効果を高める。
【０００９】
鞘管本体材料に熱伝導率の低い合成樹脂を用い、給水・給湯管を内方挿通した際の接触部図2の5を僅少化する構造とすることで保温効果を高める。
【発明の効果】
【００１０】
従来の鞘管同様の配管方法で施工でき給水・給湯管支持、保護と同時に保温機能を有することにより、保温のための配管工数を省くことができる。
【発明を実施するための最良の形態】
【００１１】
図１のとおり鞘管本体内面に溝を配することにより図2で現されている給水・給湯管の内方挿通時支持部図2の5の支持による保護と複数の空気層が形成されることによる保温効果を同時に満たす。
【実施例】
【００１２】
図1は本発明の給水・給湯管鞘管の断面図であり、内側に保温効果を高める溝を配したことを特徴とする。
【００１３】
図2は給水・給湯管を内方挿通したときの断面図であり複数の断熱空気層が形成されていることを特徴としている。
【００１４】
鞘管の材料には熱伝導率の低い合成樹脂を用い、給水・給湯管支持部の面積を僅少化することでより高い保温効果と、可撓性を有する構造とした。
【産業上の利用可能性】
【００１５】
従来の鞘管同様引き回しが可能で高い保温効果が得られるため、配管が容易になる。
【図面の簡単な説明】
【００１６】
【図１】給水・給湯管鞘管断面図
【図２】給水・給湯管内方挿通時の断面図
【符号の説明】
【００１７】
１． 鞘管本体
２．内溝
３． 給水・給湯管
４．給水・給湯管支持部
５．保温空気層
【図１】
2005299820.tif 000003
【図２】
2005299820.tif 000004
(57)【要約】【課題】プーリからの負荷を受ける軸受の冷却効果を高める。【解決手段】回転軸６に結合されるボス２とベルトが巻き掛けられるリム３とを有するプーリ１において、ボス２とリム３とをスポーク４により連結するとともに、このスポーク４をファンの羽根として構成し、この羽根によりプーリ１に軸方向の送風を生じさせるようにする。プーリ１をファンに兼用して送風を発生させることにより、プーリ１からの負荷を受ける軸受８を効果的に冷却することができる。しかも、ファンの羽根はプーリ内部に構成されるためプーリ１の外形寸法を拡大することがなく、また羽根はスポーク４を兼用するため部品点数が増えることもない。【選択図】      図１
2005299842.tif 000002
【特許請求の範囲】
【請求項１】
回転軸に結合されるボスとベルトが巻き掛けられるリムとを有するプーリにおいて、前記ボスとリムとをスポークにより連結するとともに、このスポークをファンの羽根として構成し、この羽根により軸方向に送風を生じさせるようにしたことを特徴とするプーリ。
【発明の詳細な説明】
【技術分野】
【０００１】
この発明は、ベルト伝動用のプーリに関し、特に全閉外扇形モータに適したプーリに関する。
【背景技術】
【０００２】
機内の空気が外部と流通しない全閉形モータにおいては、一般に回転軸の反負荷側にファンを取り付け、このファンからの冷却風によりモータ外皮を冷却するようにしている（全閉外扇形モータ）。この全閉外扇形モータの負荷側には、軸端にしばしばプーリが結合され、このプーリに巻き掛けられたベルトを介して負荷の回転駆動が行われる。その場合、回転軸の負荷側軸受はベルトからの張力により大きな負荷力を受けろため軸受損失が大きくなり、軸受温度が上昇しやすい。そこで、従来はモータ外皮を通過させた冷却風の排風を負荷側軸受部に当てて冷却するようにしている。このような全閉外扇形モータについては、例えば特許文献１に記載されている。
【特許文献１】特開平１０−１４１７３号公報
【発明の開示】
【発明が解決しようとする課題】
【０００３】
ところが、上記した従来の軸受冷却はモータ外皮を冷却した後の排風を利用しているため冷却風の温度が高く、十分な冷却効果を得ることが困難であった。そこで、この発明の課題は、プーリからの負荷を受ける軸受の冷却効果を高めることにある。
【課題を解決するための手段】
【０００４】
上記課題を解決するために、この発明は、回転軸に結合されるボスとベルトが巻き掛けられるリムとを有するプーリにおいて、前記ボスとリムとをスポークにより連結するとともに、このスポークをファンの羽根として構成し、この羽根により軸方向に送風を生じさせるようにするものとする（請求項１）。
【発明の効果】
【０００５】
この発明は、プーリのボスとリムとを連結するスポークを軸方向に送風するファンの羽根として構成し、プーリに軸流ファンの機能を持たせるものである。このようにプーリをファンに兼用して送風を発生させることにより、プーリからの負荷を受ける軸受を新鮮な外気で効果的に冷却することができる。その場合、羽根はプーリ内部に構成されるためプーリの外形寸法を拡大させることがなく、またスポークを羽根として兼用するため部品点数が増えることもない。
【発明を実施するための最良の形態】
【０００６】
以下、図１〜図３に基づいて、全閉外扇形モータに用いられるプーリにおけるこの発明の実施の形態を示す。ここで、図１はプーリが取り付けられたモータ負荷側の要部を断面で示した側面図、図２は図１におけるプーリの右正面図、図３は図２の要部を破断した上面図である。図１〜図３において、プーリ１はＶベルト用で、ボス２、リム３及びこれらを連結する複数（図示は６本）のスポーク４からなり、リム３には図示しないＶベルトが巻き掛けられる複数のＶ溝が形成されている。図示の場合、プーリ１は全閉外扇形モータ５における回転軸６の負荷側端部に、ボス２を介して結合されている。
【０００７】
ここで、プーリ１のボス２から放射状に伸びるスポーク４は、図３に示すように軸方向に対して角度θだけ傾斜し、軸方向に送風するファンの羽根として構成されている。そこで、プーリ１が図２の矢印方向に回転すると、図１の矢印方向に送風が発生し、プーリ１の反モータ側（図１におけるプーリ１の右側）の外気は冷却風として、モータ５の負荷側軸受箱７に吹き付けられる。その結果、軸受箱７は新鮮な外気で冷却され、軸受８の温度が低下するため、グリース寿命が大幅に延びて密封軸受の採用によるメンテナンスフリー化も可能になる。
【０００８】
図示実施の形態では、全閉外扇形モータに用いられるプーリの例を示したが、この発明はプーリ一般に適用可能であり、プーリが取り付けられる軸を支持する軸受の冷却に効果がある。また、プーリによる送風は必ずしも軸受の冷却に限定されるものではなく、他の用途に振り向けることは自由である。更に、負荷を軸端に直結するカップリングにこの発明を応用し、カップリングにファン機能を持たせることも可能である。
【図面の簡単な説明】
【０００９】
【図１】この発明の実施の形態を示すプーリの要部を断面にした側面図である。
【図２】図１のプーリの右正面図である。
【図３】図２の要部を破断した上面図である。
【符号の説明】
【００１０】
１    プーリ
２    ボス
３    リム
４    スポーク
５    モータ
６    回転軸
７    軸受箱
８    軸受
【図１】
2005299842.tif 000003
【図２】
2005299842.tif 000004
【図３】
2005299842.tif 000005
(57)【要約】【課題】  弁口や弁体に異物が堆積しない蒸気トラップを提供する。【解決手段】  入口１と出口２を有する本体３に蓋４をねじ結合して内部に弁室５を有する弁ケーシングを形成する。弁室５内に球形フロート８を自由状態で配置する。蓋４の上面に熱発電素子１８を取り付ける。弁室５と出口２の間に弁室５と出口２を連通する弁口６を設ける。弁口６を形成する弁座９の一端部に超音波振動子１０とコントローラ１１を一体に取り付ける。熱発電素子１８とコントローラ１１を接続線で接続する。  蒸気トラップの長期間の作動に伴い弁口６や球形フロート８外表面に異物が付着堆積した場合、コントローラ１１からの駆動信号に基づいて超音波振動子１０が駆動され、それらの異物が超音波洗浄される。【選択図】      図１
2005299866.tif 000002
【特許請求の範囲】
【請求項１】
弁ケーシングで入口と弁室と出口を形成し、弁室と出口の間に弁室と出口を連通する弁口を設け、弁口を開閉する弁体を設けたものにおいて、弁体又は弁口に超音波振動を与える超音波振動子を弁体又は弁口の近傍に取り付けて、弁体又は弁口に付着した異物を超音波で洗浄することを特徴とする蒸気トラップ。
【発明の詳細な説明】
【技術分野】
【０００１】
本発明は、蒸気が凝縮して発生した復水の流入によって弁口を開口して復水を外部へ排出し、一方、蒸気は外部へ排出することのない蒸気トラップに関する。
【背景技術】
【０００２】
蒸気トラップは、蒸気と復水の温度差や比重差を利用して復水を排出したり、あるいは、蒸気と復水の熱力学的特性差を利用して復水を排出するものである。
【０００３】
従来の蒸気トラップにおいては、弁体が離着座して開閉する弁口のシール面及び弁体表面に流体中のゴミやスケールや溶融金属等の異物が付着して弁体が弁口を完全にシールすることができなくなった場合に、外部から作業者がネジ等を回転操作して異物を削除しなければならない煩雑さを有する問題点があった。
【特許文献１】特開２００２−３７２１６６号公報
【発明の開示】
【発明が解決しようとする課題】
【０００４】
解決しようとする課題は、弁口や弁体表面に異物が付着堆積した場合に、これらの異物を簡単に削除することのできる蒸気トラップを提供することである。
【課題を解決するための手段】
【０００５】
本発明は、弁ケーシングで入口と弁室と出口を形成し、弁室と出口の間に弁室と出口を連通する弁口を設け、弁口を開閉する弁体を設けたものにおいて、弁体又は弁口に超音波振動を与える超音波振動子を弁体又は弁口の近傍に取り付けて、弁体又は弁口に付着した異物を超音波で洗浄するものである。
【発明の効果】
【０００６】
本発明は、弁体又は弁口に超音波振動を与える超音波振動子を取り付けたことによって、弁口や弁体表面に付着した異物を超音波で簡単に削除し洗浄することができる。
【発明を実施するための最良の形態】
【０００７】
本発明の蒸気トラップは、超音波振動子を弁体の下方部や弁口の内外周等復水が溜まり易い箇所に取り付けることによって、超音波振動により異物を確実に除去することができる。
【実施例１】
【０００８】
本実施例においては、蒸気トラップとしてフリーフロート式蒸気トラップを用いた例を示す。図１において、入口１と出口２を有する本体３に蓋４をねじ結合して内部に弁室５を有する弁ケーシングを形成する。弁室５には入口１が連通すると共に、出口２が弁口６と連通孔７を通して連通する。
【０００９】
弁室５内で弁口６に対向して弁体としての球形フロート８を自由状態で配置する。球形フロート８は、ステンレス製薄板で製作した中空状で、入口１から弁室５内へ復水が流入してくるとその浮力によって浮上して弁口６から離れて弁口６を開口することによって、復水を出口２側へ排出する。復水が排出され弁室５内の液位が低下すると球形フロート８も降下して弁口６を閉口することによって蒸気が出口２側へ排出されることを防止する。
【００１０】
弁口６を形成する円筒形状の弁座９の端部に超音波振動子１０を接して取り付ける。超音波振動子１０は、円環状でコントローラ１１に内蔵した発振器から発せられる電気振動を機械振動に変換して、弁口６を有する弁座９へ伝達することによって、弁口６の球形フロート８外表面とのシール面に付着堆積したゴミや溶融金属等の異物を超音波洗浄する。
【００１１】
本実施例においては、超音波振動子１０を弁座９の下端部に取り付けた例を示したが、更に小型の超音波振動子を、弁口６の外周部１２や内周部１３、あるいは、弁座９の下端内周部１４などに取り付けることができる。また、超音波振動子を、弁体としての球形フロート８の下部１５あるいは本体３の外部１６などに取り付けることができる。
【００１２】
超音波振動子１０の端面に接して断熱材１７を取り付け、更にコントローラ１１を一体に取り付ける。一方、弁ケーシングを構成する蓋４の外表面に接して熱発電素子１８を取り付ける。熱発電素子１８の端面には放熱フィン１９を接続する。熱発電素子１８は、弁室５内へ流入する蒸気や復水の熱を基に発電する素子であり、図示しない接続線によりコントローラ１１と接続して超音波振動子１０を駆動するための電源とする。
【００１３】
コントローラ１１内には、熱発電素子１８からの電気を充電する充電器や、充電器での充電量を表示する充電表示器、あるいは、超音波振動子１０の駆動周期を設定する周期設定器などを内蔵する。
【００１４】
通常、蒸気トラップは、入口１から流入する復水を球形フロート８が浮上して弁口６を開口することによって出口２側へ排出する。復水には、蒸気トラップ入口側の配管や蒸気使用装置で発生した鉄さびや溶融金属等の異物が混入しており、蒸気トラップを長期間使用した場合に、これらの異物が、球形フロート８の外表面や弁座９のシール面、あるいは、弁口６の内周部１３などに付着し堆積する。このように、異物が付着堆積した場合に、超音波振動子１０を駆動して超音波振動を、弁座９や球形フロート８に与えることによって、異物を洗浄することができる。
【００１５】
なお、超音波洗浄を行う場合は、洗浄箇所が液体中に浸漬していなければならないが、本実施例の蒸気トラップにおいては球形フロート８のほぼ中央付近まで常時復水が滞留しているために、弁口６や球形フロート８の下部半球部分を超音波洗浄することができる。
【００１６】
本実施例においては、蒸気トラップとしてフリーフロート式蒸気トラップを用いた例を示したが、その他の蒸気トラップ、例えば、バケット式蒸気トラップ、ディスク式蒸気トラップ、バイメタルやベローズを利用した感温式蒸気トラップ、あるいは、温調トラップなど従来から使用されている蒸気トラップにも同様に使用することができる。
【図面の簡単な説明】
【００１７】
【図１】本発明の蒸気トラップの一部断面構成図。
【符号の説明】
【００１８】
１  入口
２  出口
３  本体
４  蓋
５  弁室
６  弁口
８  球形フロート
９  弁座
１０  超音波振動子
１１  コントローラ
１８  熱発電素子
１９  放熱フィン
【図１】
2005299866.tif 000003
(57)【要約】【課題】  運転中に運転者が意図しなくても、現在装着されているシステムを使用し、自動的に路面の状態を把握し最適な自動変速制御を行い、車輛の走行安定性を向上させる。【解決手段】  走行中の車輛の各車輪に取付けた車輪速センサからの情報を元に、スリップ状態かどうかを判断し、その情報から路面の状態が判断できる。  路面の状態が低μと判断できれば、その情報をＣＡＮ等の通信あるいは、路面の状態を判断した信号を自動変速制御装置に送り、この入手した情報あるいは信号から最適な変速制御を行うことが可能である。【効果】  従来運転者が判断していた路面状態を、従来あるアンチスキッドシステムを利用し路面状態を自動的に判断し、最適な自動変速制御が可能となる。アンチスキッドシステムと自動変速制御装置の結線もＣＡＮを利用すれば、新たな接続も必要とせず、モード切替えスイッチも不用となることから、コストダウンを計れる。【選択図】図１
2005299896.tif 000002
【特許請求の範囲】
【請求項１】
エンジンで駆動する車輛において、走行中の路面の状態を検出する路面状態検出装置と検出された路面状態μから最適な変速線を選択し、車輛安定性を向上させる自動変速制御装置。
【発明の詳細な説明】
【技術分野】
【０００１】
本発明は、自動変速制御装置に係り、特に走行中の路面状態を検出する路面状態検出装置からの情報を元に、最適な変速線を自動的に選択する自動変速制御装置に関する。
【背景技術】
【０００２】
自動変速制御装置の装着車では、従来は特許文献１にあるように運転者が路面状態を判断し、例えば雪道ではオートモードスイッチを操作し（スイッチをＯＮ状態にし、かつ操作レバーをアップシフト用の「＋」位置へ操作してスノーモードにして、対応する変速制御を行っていた。また車輪に取付けた車輪速センサからの情報を元に、路面の状態を判断するアンチスキッドコントロールユニットによりブレーキ制御を行っていた。
【０００３】
上記のように個々のシステムで独立して変速制御，ブレーキ制御を行っていた。
【０００４】
【特許文献１】特開２００２−２７６７８０号公報
【発明の開示】
【発明が解決しようとする課題】
【０００５】
上記従来技術では、運転者の判断で運転モードを切替える必要があった。自動的に運転者が意図しなくても最適な変速制御を行うシステムになっていなかった。
【０００６】
本発明の目的は、運転中に運転者が意図しなくても、現在装着されているシステムを使用し、新たなシステムを導入することなく既存のブレーキ制御で使用されているシステム利用、すなわちブレーキ制御で判断している路面の状態から最適な自動変速制御を行い、車輛の走行安定性を向上させる装置を提供することにある。
【課題を解決するための手段】
【０００７】
本発明は、上記課題を以下の手段によって解決することができる。
【０００８】
走行中の車輛の各車輪に取付けた車輪速センサからの情報を元に、スリップ状態かどうかを判断し、その情報から路面の状態が判断できる。
【０００９】
路面の状態が低μと判断できれば、その情報をＣＡＮ等の通信あるいは、直接路面の状態を判断した信号を自動変速制御装置に送り、この入手した情報あるいは信号から最適な変速制御を行うことに特徴がある。
【発明の効果】
【００１０】
本発明によれば、従来運転者が判断していた路面状態を、従来あるアンチスキッドシステムを流用し路面状態を自動的に判断し、最適な自動変速制御が可能となる。
【００１１】
アンチスキッドシステムと自動変速制御装置の結線もＣＡＮを利用すれば、新たな接続も必要とせず、モード切替えスイッチも不用となることから、コストダウンを計れる効果がある。
【発明を実施するための最良の形態】
【００１２】
以下、本発明の実施例を図１により説明する。図１は本発明による制御装置の一実施例である。オートマティックトランスミッションを制御する自動変速制御装置１と車輪６に取付けた車輪速センサ４とそのセンサからの信号により、走行中の路面状態を判断するアンチスキッドコントロールユニット３から構成されている。
【００１３】
従来は、走行中運転者が路面の状態を判断し、例えば雪道走行時は、モード切替スイッチ７により、スノーモードに切替え、その信号が自動変速制御装置１に入力される。この信号をもとに自動変速制御装置１は変速線を切替え、最適な変速制御を行う。この従来あったモード切替スイッチ７を運転者が切替えなくても、すでに車輛に装着されているアンチスキッドコントロールシステムを利用し、同様な制御が可能となる。その手段を以下に説明します。
【００１４】
車輪６に取付けられた車輪速センサ４からの信号が、アンチスキッドコントロールユニット３に入力され、このユニットにより車輪速センサ４からの信号をもとに、路面状態を判断する。その判断により路面状態が低μ状態と判断した場合は、その信号を自動変速制御装置１に送り、自動変速制御装置１は、この信号を元に最適な変速線を選択し、その信号をオートマティックトランスミッション２に送り車輛の走行安定性を保つ制御を行う。
【図面の簡単な説明】
【００１５】
【図１】本発明に係わる制御装置の一実施例を示す構成図である。
【符号の説明】
【００１６】
１…自動変速制御装置、２…オートマティックトランスミッション、３…アンチスキッドコントロールユニット、４…車輪速センサ、５…エンジン、６…車輪、７…モード切替スイッチ。
【図１】
2005299896.tif 000003